(57)【特許請求の範囲】
【請求項１】
光電効果素子を収容する素子収容部および光伝送プラグを収容するプラグ収容部を構成してプラグ挿入基部を有するホルダー部と、板金で形成され前記ホルダー部を実装基板に固定する金属固定脚とを備える光伝送コネクタであって、
前記金属固定脚が配置された側から光伝送プラグが挿入される前記ホルダー部の前記プラグ挿入基部まで延長され先端位置を前記プラグ挿入基部のプラグ挿入側表面に露出させた延長枝部を複数備え、
前記金属固定脚と前記延長枝部とは一体の板金で形成され、前記先端位置が前記プラグ挿入基部に設けられた貫通穴を貫通する構成とされ、前記貫通穴は前記延長枝部に対応させて複数形成されていること
を特徴とする光伝送コネクタ。
【請求項２】
請求項１に記載の光伝送コネクタであって、
前記プラグ挿入基部は、前記プラグ挿入側からみて矩形状としてあり、複数の前記貫通穴は前記矩形状に対して斜めに交差する交差線上に配置してあること
を特徴とする光伝送コネクタ。
【請求項３】
請求項１または請求項２に記載の光伝送コネクタであって、
前記貫通穴に挿入される前記先端位置の幅は、前記延長枝部の幅に比べて細くしてあること
を特徴とする光伝送コネクタ。
【請求項４】
請求項１から請求項３までのいずれか一つに記載の光伝送コネクタであって、
前記金属固定脚および前記延長枝部を一体の板金で連結する連結部を備えること
を特徴とする光伝送コネクタ。
【請求項５】
請求項４に記載の光伝送コネクタであって、
前記連結部は、前記ホルダー部に形成された段差部に係合され、前記先端位置を位置決めするように前記段差部と対向して前記ホルダー部に形成された突起部によって固定してあること
を特徴とする光伝送コネクタ。
【請求項６】
請求項４または請求項５に記載の光伝送コネクタであって、
前記金属固定脚は、前記ホルダー部の対向する２つの面に相互に対向させて配置してあり、前記連結部は２つの前記金属固定脚を連結するように延長させて構成してあること
を特徴とする光伝送コネクタ。
【請求項７】
請求項４から請求項６までのいずれか一つに記載の光伝送コネクタであって、
前記連結部は前記段差部に係合させたＬ字状の板金角部を有し、前記段差部は前記板金角部に対応させた段差角部を有し、前記段差角部にはアール加工が施してあること
を特徴とする光伝送コネクタ。
【請求項８】
請求項７に記載の光伝送コネクタであって、
前記段差角部は、アール加工に加えて切り欠き部を有すること
を特徴とする光伝送コネクタ。
【請求項９】
請求項１から請求項８までのいずれか一つに記載の光伝送コネクタであって、
前記プラグ挿入基部のプラグ挿入側表面に配置された枠状の枠状板金を備え、
該枠状板金は前記延長枝部に接続してあること
を特徴とする光伝送コネクタ。
【請求項１０】
光伝送コネクタを搭載した電子機器であって、前記光伝送コネクタは、請求項１から請求項９までのいずれか一つに記載の光伝送コネクタであることを特徴とする電子機器。
【発明の詳細な説明】
【技術分野】
【０００１】
本発明は、光電効果素子を収容する素子収容部および光伝送プラグを収容するプラグ収容部を構成するホルダー部と、板金で形成されホルダー部を実装基板に固定する金属固定脚とを備える光伝送コネクタおよびこのような光伝送コネクタを適用した電子機器に関する。
【背景技術】
【０００２】
電気信号を光信号として伝送する光伝送コネクタが提案されている。光伝送コネクタは、光ファイバーを用いた光ファイバーリンクとして構成され、電気信号に起因する雑音を確実に排除できる伝送系とすることができることから、高度の耐雑音特性を要求されるＤＶＤプレーヤー、ＤＶＤレコーダ、薄型ＴＶ、ＳＴＢ（セットトップボックス：衛星放送のアダプタ装置）、ＡＶレシーバーなどの電子機器に採用されつつある。
【０００３】
図４は、従来例１としての光伝送コネクタを説明する説明図であり、（Ａ）は光伝送プラグが挿入されるプラグ収容部を右側に配置した状態での正面図、（Ｂ）は（Ａ）の矢符Ｂ方向での側面図である。
【０００４】
従来例１に係る光伝送コネクタ１０１は、電子機器（不図示）の実装基板（不図示）に直接取り付けられる自立タイプである。
【０００５】
送信部または受信部として機能する光伝送コネクタ１０１は、光電効果素子（不図示）を収容する素子収容部１１０と、光ケーブル１９３（図６参照）を有する光伝送プラグ１９０（図６参照）を収容するプラグ収容部１２０とを構成するホルダー部１３０を備える。ホルダー部１３０には、光伝送コネクタ１０１（プラグ収容部１２０）にホコリ、異物が浸入することを防止し、また、光漏れに対する目の保護を行なうためのシャッター部１３２が設けられている。
【０００６】
光伝送プラグ１９０（光ケーブル１９３）をシャッター部１３２に当接させて挿入することにより、光伝送プラグ１９０は光伝送コネクタ１０１に連結される。
【０００７】
光伝送コネクタ１０１は、実装基板１８６（図７参照）に固定するための手段として金属製の金属固定脚１４０を備える。金属固定脚１４０は、ホルダー部１３０の表面に当接して係合され実装基板１８６の方向へ突出した形態で配置される。
【０００８】
また、実装基板１８６へ接続される光電効果素子１１１のリード端子１１１ｔが金属固定脚１４０と平行してホルダー部１３０から実装基板１８６の方向へ突出した形態で配置される。
【０００９】
図５は、従来例２としての光伝送コネクタを説明する説明図であり、（Ａ）は光伝送プラグが挿入されるプラグ収容部を右側に配置した状態での正面図、（Ｂ）は（Ａ）の矢符Ｂ方向での側面図である。
【００１０】
基本構造は従来例１と同様であるので、主に異なる事項について説明する。
【００１１】
従来例２に係る光伝送コネクタ１０１は、固定手段としてネジ穴１３５ｈを有する固定部１３５を備える。つまり、従来例２に係る光伝送コネクタ１０１は、電子機器（不図示）の機器パネル１８５（図８参照）に固定部１３５を固定ネジ１３５ｆ（図８参照）で固定されるネジ固定タイプである。
【００１２】
また、光伝送プラグ１９０（光ケーブル１９３）をプラグ挿入口１３１ｗから挿入することにより、光伝送プラグ１９０は光伝送コネクタ１０１に連結される。
【００１３】
機器パネル１８５に対する固定強度は固定部１３５で確保されることから、実装基板１８６（図８参照）に対する固定は、ホルダー部１３０と同様に樹脂製とされた樹脂固定脚１３７によってなされる。
【００１４】
図６は、従来例１、従来例２の光伝送コネクタと連結される光伝送プラグを説明する説明図であり、（Ａ）は平面図、（Ｂ）は正面図、（Ｃ）は（Ａ）の矢符Ｃ方向での側面図である。
【００１５】
光伝送プラグ１９０は、光ケーブル１９３の中心に光伝送路としての光ファイバ１９４を備え、操作性および機械的強度を確保するために光ケーブル１９３の端部に取っ手部１９２を設けてある。なお、光ケーブル１９３の図示しない他端には同様に光伝送プラグ１９０が設けてある。
【００１６】
従来例１、従来例２に示した光伝送コネクタ１０１、図６で示した光伝送プラグ１９０の形式は、社団法人ＪＥＩＴＡ（電子情報技術産業協会）に統合された旧ＥＩＡＪ（日本電子機械工業会）で規定された角型と呼ばれるものである。旧ＥＩＡＪで規定されている寸法は、相互の連結を行なう嵌合部分に関してだけであり、例えば取っ手部１９２の寸法や、光伝送コネクタ１０１の樹脂固定脚１３７、金属固定脚１４０、ホルダー部１３０の寸法は規定されておらず、自由に設定することが可能となっている。
【００１７】
図７は、従来例１に係る光伝送コネクタを実装基板に実装した状態を示す側面図である。
【００１８】
電子機器の筐体を構成する機器パネル１８５、電子機器の実装基板１８６に従来例１に係る光伝送コネクタ１０１が取り付けられている。機器パネル１８５からシャッター部１３２が露出され光伝送プラグ１９０を挿入できる形態としてある。また、光伝送コネクタ１０１は実装基板１８６に半田付けされた金属固定脚１４０によって固定され、リード端子１１１ｔは実装基板１８６に半田付けによって接続されている。
【００１９】
図８は、従来例２に係る光伝送コネクタを実装基板に実装した状態を示す説明図であり、（Ａ）は側面図、（Ｂ）は内部構成を透視的に示す透視側面図である。
【００２０】
電子機器の筐体を構成する機器パネル１８５、電子機器の実装基板１８６に従来例２に係る光伝送コネクタ１０１が取り付けられている。機器パネル１８５からシャッター部１３２が露出され光伝送プラグ１９０を挿入できる形態としてある。また、光伝送コネクタ１０１は機器パネル１８５に固定ネジ１３５ｆで固定され、リード端子１１１ｔは実装基板１８６に半田付けによって接続されている。また、樹脂固定脚１３７によって実装基板１８６に固定されている。
【００２１】
なお、光ファイバ１９４の先端は規格にしたがってセットポイントＳＰで位置決めされ、光ファイバ１９４と光電効果素子１１１とは直接接触しない構成としてある。
【００２２】
図９は、光伝送コネクタを機器パネルおよび実装基板に実装した状態での従来技術の問題を概念的に示す側面図である。
【００２３】
従来、機器パネル（取り付けパネル）１８５には金属が使われてきたが、最近はコスト低減の要求があること、セットの軽量化の要求があることなどから、機器パネル１８５は、絶縁性を有する樹脂製とされることが多くなっている。
【００２４】
また、機器パネル１８５に光伝送コネクタ１０１を接触させる場合（図７、図８参照）に対して、図９に示すように機器パネル１８５に接触させずに光伝送コネクタ１０１を機器パネル１８５の開口部１８５ｗに対して分離した状態で並置する場合がある。
【００２５】
図９に示すように光伝送コネクタ１０１を機器パネル１８５に接触させずに設けた状態では、光伝送プラグ１９０を光伝送コネクタ１０１に連結する際、あるいは、実装基板１８６に光伝送コネクタ１０１以外の部品（例えば他のコネクタ類）を組み立てる際に静電気ＥＳＤが発生することがある。
【００２６】
周囲に静電気ＥＳＤが存在する場合、開口部１８５ｗの周辺および光伝送コネクタ１０１の露出面（プラグ挿入基部１３１）の周辺には金属部が存在しないことから、シャッター部１３２（従来例１。図４参照）がシャッター機構を機能させるために有するバネ部につながる開口部（不図示）、シャッター部１３２を開けて光伝送プラグ１９０を挿入するときの開口部（不図示）、プラグ挿入口１３１ｗ（従来例２。図５参照）などを介して静電気ＥＳＤが光伝送コネクタ１０１の内部に侵入することとなり、光電効果素子１１１を破壊することがあるという問題があった。
【００２７】
なお、光伝送コネクタでのノイズ対策を施したものとして例えば特許文献１が、電気コネクタにシールド対策を施したものとして例えば特許文献２が提案されている。また、本出願人による先出願として特許文献３がある。
【特許文献１】特開２０００−７５１７１号公報
【特許文献２】実開平４−８７１８４号公報
【特許文献３】特開２００７−６５３６６号公報
【発明の開示】
【発明が解決しようとする課題】
【００２８】
本発明はこのような状況に鑑みてなされたものであり、光電効果素子を収容する素子収容部および光伝送プラグを収容するプラグ収容部を構成するホルダー部と、板金で形成されホルダー部を実装基板に固定する金属固定脚とを備える光伝送コネクタであって、金属固定脚が配置された側から光伝送プラグが挿入されるホルダー部のプラグ挿入基部まで延長され先端位置をプラグ挿入基部のプラグ挿入側表面に露出させた延長枝部を備えることにより、プラグ挿入側表面からホルダー部の内部へ侵入する静電気を確実に遮蔽して、光電効果素子の破壊を防止する信頼性の高い光伝送コネクタを提供することを目的とする。
【００２９】
また、本発明は、光伝送コネクタを搭載した電子機器であって、光伝送コネクタを本発明に係る光伝送コネクタで構成することにより、静電気に対する破壊強度が大きく、光伝送コネクタの取り扱いが容易で信頼性の高い電子機器を提供することを他の目的とする。
【課題を解決するための手段】
【００３０】
本発明に係る光伝送コネクタは、光電効果素子を収容する素子収容部および光伝送プラグを収容するプラグ収容部を構成してプラグ挿入基部を有するホルダー部と、板金で形成され前記ホルダー部を実装基板に固定する金属固定脚とを備える光伝送コネクタであって、前記金属固定脚が配置された側から光伝送プラグが挿入される前記ホルダー部の前記プラグ挿入基部まで延長され先端位置を前記プラグ挿入基部のプラグ挿入側表面に露出させた延長枝部を複数備え、前記金属固定脚と前記延長枝部とは一体の板金で形成され、前記先端位置が前記プラグ挿入基部に設けられた貫通穴を貫通する構成とされ、前記貫通穴は前記延長枝部に対応させて複数形成されていることを特徴とする。
【００３１】
この構成により、プラグ挿入側表面からホルダー部の内部へ侵入する静電気を確実に遮蔽することが可能となり、光電効果素子の破壊を防止できる信頼性の高い光伝送コネクタとすることができる。また、静電気遮蔽効果を保持した状態で延長枝部を高精度に位置決めすることが可能となる。また、複数の延長枝部を高精度かつ確実に位置決めして配置することが可能となり、静電気遮蔽面積を大きくすることが可能となる。
【００３６】
また、本発明に係る光伝送コネクタでは、前記プラグ挿入基部は、前記プラグ挿入側からみて矩形状としてあり、複数の前記貫通穴は前記矩形状に対して斜めに交差する交差線上に配置してあることを特徴とする。
【００３７】
この構成により、広い面積に対する静電気遮蔽効果を得られる。
【００３８】
また、本発明に係る光伝送コネクタでは、前記貫通穴に挿入される前記先端位置の幅は、前記延長枝部の幅に比べて細くしてあることを特徴とする。
【００３９】
この構成により、延長枝部の位置決め作業を容易かつ高精度に実施することが可能となる。
【００４０】
また、本発明に係る光伝送コネクタでは、前記金属固定脚および前記延長枝部を一体の板金で連結する連結部を備えることを特徴とする。
【００４１】
この構成により、金属固定脚と延長枝部の相互位置を容易に調整することが可能となり、金属固定脚および延長枝部を最適な位置に配置することが可能となる。
【００４２】
また、本発明に係る光伝送コネクタでは、前記連結部は、前記ホルダー部に形成された段差部に係合され、前記先端位置を位置決めするように前記段差部と対向して前記ホルダー部に形成された突起部によって固定してあることを特徴とする。
【００４３】
この構成により、段差部と突起部によって連結部を位置決め固定することから、延長枝部を高精度に位置決めすることが可能となる。
【００４４】
また、本発明に係る光伝送コネクタでは、前記金属固定脚は、前記ホルダー部の対向する２つの面に相互に対向させて配置してあり、前記連結部は２つの前記金属固定脚を連結するように延長させて構成してあることを特徴とする。
【００４５】
この構成により、ホルダー部の両面に金属固定脚を配置してあることから、金属固定脚による実装基板に対するホルダー部の固定強度およびホルダー部に対する金属固定脚の連結強度を向上させてホルダー部（光伝送コネクタ）を実装基板へ確実に固定することが可能となる。
【００４６】
また、本発明に係る光伝送コネクタでは、前記連結部は前記段差部に係合させたＬ字状の板金角部を有し、前記段差部は前記板金角部に対応させた段差角部を有し、前記段差角部にはアール加工が施してあることを特徴とする。
【００４７】
この構成により、ホルダー部に対する連結部の係合を容易に実施できることから、延長枝部（先端位置）の位置決めを容易かつ高精度に実施することが可能となる。
【００４８】
また、本発明に係る光伝送コネクタでは、前記段差角部は、アール加工に加えて切り欠き部を有することを特徴とする。
【００４９】
この構成により、延長枝部（先端位置）の位置決めをさらに容易かつ確実に実行することが可能となる。
【００５０】
また、本発明に係る光伝送コネクタでは、前記プラグ挿入基部のプラグ挿入側表面に配置された枠状の枠状板金を備え、該枠状板金は前記延長枝部に接続してあることを特徴とする。
【００５１】
この構成により、プラグ挿入側表面から侵入する静電気を侵入位置に関係なく全面的に遮蔽することが可能となり、高精度に静電気を遮蔽することが可能でより信頼性の高い光伝送コネクタとすることができる。
【００５２】
また、本発明に係る電子機器は、光伝送コネクタを搭載した電子機器であって、前記光伝送コネクタは、本発明に係る光伝送コネクタであることを特徴とする。
【００５３】
この構成により、静電気に対する耐破壊強度が大きく、光伝送コネクタの取り扱いが容易で信頼性の高い電子機器とすることが可能となる。
【発明の効果】
【００５４】
本発明に係る光伝送コネクタによれば、光電効果素子を収容する素子収容部および光伝送プラグを収容するプラグ収容部を構成するホルダー部と、板金で形成されホルダー部を実装基板に固定する金属固定脚とを備える光伝送コネクタであって、金属固定脚が配置された側から光伝送プラグが挿入されるホルダー部のプラグ挿入基部まで延長され先端位置をプラグ挿入基部のプラグ挿入側表面に露出させた延長枝部を備え、金属固定脚と延長枝部とは一体の板金で形成してあることから、プラグ挿入側表面からホルダー部の内部へ侵入する静電気を確実に遮蔽することが可能となり、光電効果素子の破壊を防止できる信頼性の高い光伝送コネクタを提供することができるという効果を奏する。
【００５５】
また、本発明に係る電子機器によれば、本発明に係る光伝送コネクタを搭載した電子機器とすることから、静電気に対する耐破壊強度が大きく、光伝送コネクタの取り扱いが容易で信頼性の高い電子機器を提供することができるという効果を奏する。
【発明を実施するための最良の形態】
【００５６】
以下、本発明の実施の形態を図面に基づいて説明する。
【００５７】
＜実施の形態１＞
図１および図２に基づいて、本実施の形態に係る光伝送コネクタについて説明する。
【００５８】
図１は、本発明の実施の形態１に係る光伝送コネクタの概略構成を説明する説明図であり、（Ａ）は光伝送プラグが挿入されるプラグ収容部を右側に配置した状態での正面図、（Ｂ）は（Ａ）の矢符Ｂ方向での側面図、（Ｃ）は矢符Ｃ方向での底面図である。
【００５９】
図２は、図１（Ａ）を拡大して光伝送コネクタの細部を示す拡大正面図である。
【００６０】
本実施の形態に係る光伝送コネクタ１は、光電効果素子１１を収容する素子収容部１０および光伝送プラグ１９０（図６参照。なお、光伝送プラグ１９０は、従来のものをそのまま適用することが可能である。）を収容するプラグ収容部２０を構成するホルダー部３０と、板金で形成されホルダー部３０を実装基板１８６（図９参照。なお、実装基板１８６は、従来のものをそのまま適用することが可能である。）に固定する金属固定脚４０とを備える。
【００６１】
なお、光電効果素子１１としては、発光素子、受光素子のいずれか、あるいは両方を備える素子を適用することが可能である。発光素子を収容した場合は、送信側として機能し、受光素子を収容した場合は、受信側として機能する。また、発光素子および受光素子の両方を収容した場合は、送受信兼用として機能する。
【００６２】
また、光伝送コネクタ１は、金属固定脚４０が配置された側から光伝送プラグ１９０が挿入されるホルダー部３０のプラグ挿入基部３１まで延長され先端位置４１ｔをプラグ挿入基部３１のプラグ挿入側表面３１ｓに露出させた延長枝部４１を備え、金属固定脚４０と延長枝部４１とは一体の板金で形成してある。
【００６３】
したがって、光伝送プラグ１９０の挿入方向から光伝送コネクタ１へ進入してきた静電気は、延長枝部４１を介して金属固定脚４０へ放電されることから、プラグ挿入側表面３１ｓからホルダー部３０の内部（素子収容部１０、プラグ収容部２０）へ侵入する静電気を確実に遮蔽することが可能となり、光電効果素子１１の破壊を防止できる信頼性の高い光伝送コネクタ１とすることができる。
【００６４】
また、本実施の形態に係る光伝送コネクタ１では、光伝送プラグ１９０の挿入によって開放されるシャッター部３２を備え、シャッター部３２は、シャッター基部３２ｂを介してプラグ挿入基部３１に結合してある（通常は、プラグ挿入基部３１とシャッター基部３２ｂは一体に形成することが可能である）。なお、光伝送プラグ１９０は、図１（Ａ）の右方向（矢符Ｂ方向）からシャッター部３２を押し込む形態で挿入され、光伝送コネクタ１と連結される構成としてある。
【００６５】
シャッター部３２を備えることから、光伝送プラグ１９０を収容するプラグ収容部２０へのほこり、異物の侵入を防止することが可能となり、また、光漏れによる人体（眼）への影響を抑制することが可能となる。
【００６６】
プラグ挿入基部３１は、先端位置４１ｔをプラグ挿入側表面３１ｓに露出させる貫通穴３１ｈを備える。したがって、静電気遮蔽効果を保持した状態で延長枝部４１を高精度に位置決めすることが可能となる。
【００６７】
延長枝部４１は複数配置してあり、貫通穴３１ｈは延長枝部４１に対応させて複数形成してある。したがって、複数の延長枝部４１を高精度かつ確実に位置決めして配置することが可能となり、静電気遮蔽面積を大きくすることが可能となる。
【００６８】
また、プラグ挿入基部３１は、プラグ挿入側（図１（Ａ）の矢符Ｂ方向）からみて矩形状としてあり、複数の貫通穴３１ｈは矩形状に対して斜めに交差する交差線Ｌｃ上に配置してある（図１（Ｂ）参照）。したがって、静電気が正面から侵入する場合に限らず、図１（Ｂ）の図上、上下左右いずれの方向から静電気が侵入した場合でも静電気遮蔽効果を発揮することから、広い面積に対する静電気遮蔽効果を得られる。
【００６９】
なお、本実施の形態では、延長枝部４１は例えば２本配置している。したがって、先端位置４１ｔは、２箇所の貫通穴３１ｈそれぞれから先端位置４１ｔを露出させている。また、図１（Ｂ）では、先端位置４１ｔａ、先端位置４１ｔｂとして示すように２本の先端位置４１ｔ（先端位置４１ｔａ、先端位置４１ｔｂ）は上述したとおり相互に非対称に配置してある。
【００７０】
貫通穴３１ｈに挿入される先端位置４１ｔの幅Ｗ２は、延長枝部４１の幅Ｗ１に比べて細くしてある。つまり、先端位置４１ｔの幅Ｗ２は、延長枝部４１の幅Ｗ１に対して例えば１割ないし２割程度細くしてある。したがって、延長枝部４１の貫通穴３１ｈに対する位置決め作業を容易かつ高精度に実施することが可能となる。
【００７１】
また、光伝送コネクタ１は、金属固定脚４０および延長枝部４１を一体の板金で連結する連結部４３を備える。したがって、金属固定脚４０と延長枝部４１の相互位置を容易に調整することが可能となり、金属固定脚４０および延長枝部４１を最適な位置に配置することが可能となる。
【００７２】
連結部４３は、ホルダー部３０に形成された段差部３３に係合され、先端位置４１ｔを位置決めするように段差部３３と対向してホルダー部３０に形成された突起部３４によって固定してある。したがって、段差部３３と突起部３４によって連結部４３（連結部４３ｔ）を位置決め固定することから、延長枝部４１を高精度に位置決めすることが可能となる。
【００７３】
金属固定脚４０（金属固定脚４０ａ、４０ｂ。図１（Ｃ）参照）は、ホルダー部３０の対向する２つの面（ホルダー部側面３０ａ、３０ｂ）に相互に対向させて配置してあり、連結部４３は２つの金属固定脚４０を連結するように延長させて構成してある。
【００７４】
したがって、ホルダー部３０の両面（ホルダー部側面３０ａ、３０ｂ。図１（Ｃ）参照）に金属固定脚４０を配置してあることから、金属固定脚４０による実装基板１８６に対するホルダー部３０の固定強度およびホルダー部３０に対する金属固定脚４０の連結強度を向上させて確実にホルダー部３０（光伝送コネクタ１）を実装基板１８６へ固定することが可能となる。
【００７５】
なお、金属固定脚４０ａ、４０ｂは、先端位置４１ｔａ、４１ｔｂに対応する連結部４３に連結され、ホルダー部３０の両面（ホルダー部側面３０ａ、３０ｂ）の連結部４３は、さらに延長され、連結部４３ｔで相互に連結されている。
【００７６】
つまり、連結部４３は、ホルダー部３０の両面（ホルダー部側面３０ａ、３０ｂ）の連結部４３および連結部４３ｔによって、ホルダー部３０をＵ字状態で（３面にわたって）囲む形態としてあり、ホルダー部３０に対する連結強度をさらに向上させている。
【００７７】
連結部４３は段差部３３に係合させたＬ字状の板金角部４３ｃを有し、段差部３３は板金角部４３ｃに対応させた段差角部３３ｃを有し、段差角部３３ｃにはアール加工Ｒが施してある（図２参照）。したがって、ホルダー部３０に対する連結部４３の係合（貫通穴３１ｈに対する先端位置４１ｔの挿入）を容易に実施できることから、延長枝部４１（先端位置４１ｔ）の位置決めを容易かつ高精度に実施することが可能となる。
【００７８】
段差角部３３ｃは、アール加工Ｒに加えて切り欠き部３３ｓを有する。したがって、延長枝部４１（先端位置４１ｔ）の位置決めをさらに容易かつ確実に実行することが可能となる。なお、切り欠き部３３ｓは、段差部３３の直線部（例えば、延長枝部４１の直線部と平行に形成される）に対して切り欠き角度θを有する構成としてある。
【００７９】
また、板金角部４３ｃを構成する連結部４３の一部（連結部４３ｇ）は延長枝部４１と平行に延長され、ホルダー部３０に形成された隠し溝３３ｇに嵌合され、連結部４３とホルダー部３０との連結強度をさらに向上させてある。
【００８０】
なお、ホルダー部側面３０ａでは、延長枝部４１と平行に連結部４３（連結部４３ｇ）が配置されるが、ホルダー部側面３０ｂでは、連結部４３ｇに対応する位置に延長枝部４１（延長枝部４１ｔｂ）が配置されている（図１（Ｂ）参照）。
【００８１】
また、金属固定脚４０、延長枝部４１、連結部４３を構成する板金は、例えばアルミニウム、銅などを適用することが可能であり、厚さは加工性および強度を考慮して例えば、０．１ｍｍないし０．３ｍｍ程度とすることが可能である。
【００８２】
なお、本実施の形態による光伝送コネクタ１について、次のとおり国際規格であるＩＥＣ６１０００−４−２（静電気イミュニティ試験）規格に対応した静電気放電試験を実施した。
【００８３】
放電試験機の放電電極（電位プラス２０ｋＶ、電位マイナス２０ｋＶそれぞれを個別に印加してスパークさせた。）と光伝送コネクタ１の先端（シャッター部３２の表面）との距離を１５ｍｍとした場合は、従来のものも本実施の形態に係る光伝送コネクタ１も試験品５個について静電破壊は発生しなかった。
【００８４】
また、放電試験機の放電電極（電位プラス２０ｋＶ、電位マイナス２０ｋＶそれぞれを個別に印加してスパークさせた。）と光伝送コネクタ１の先端（シャッター部３２の表面）との距離を０ｍｍ（限界試験）とした場合は、１０回の繰り返し印加で従来のものは試験品５個の内２個が破壊したのに対して本実施の形態に係る光伝送コネクタ１は試験品５個について静電破壊は発生しなかった。なお、本実施の形態に係る光伝送コネクタ１は３０回の繰り返し印加でも静電破壊は発生しなかった。
【００８５】
上述したとおり、本実施の形態に係る光伝送コネクタ１によれば、延長枝部４１の先端位置４１ｔをプラグ挿入基部３１（プラグ挿入側表面３１ｓ）に露出させるという簡単な構造で極めて大きな耐破壊強度を得ることができた。
【００８６】
＜実施の形態２＞
図３に基づいて、本実施の形態に係る光伝送コネクタについて説明する。
【００８７】
図３は、本発明の実施の形態２に係る光伝送コネクタの概略構成を説明する説明図であり、図１（Ｂ）に対応する位置での側面図である。
【００８８】
本実施の形態に係る光伝送コネクタ１は、基本構造は実施の形態１に係る光伝送コネクタ１と同様であるので、主に異なる事項について説明する。
【００８９】
本実施の形態に係る光伝送コネクタ１は、プラグ挿入基部３１のプラグ挿入側表面３１ｓに配置された枠状の枠状板金４５を備え、枠状板金４５は延長枝部４１（先端位置４１ｔ）に接続してある。したがって、プラグ挿入側表面３１ｓから侵入する静電気を侵入位置に関係なく全面的に遮蔽することが可能となり、高精度に静電気を遮蔽することが可能でより信頼性の高い光伝送コネクタ１とすることができる。
【００９０】
なお、枠状板金４５と延長枝部４１（先端位置４１ｔ）との接続は、例えば導電性接着剤、半田による接着、あるいは枠状板金４５および延長枝部４１のバネ性を用いて接触接続とすることも可能である。
【００９１】
＜実施の形態３＞
本実施の形態に係る電子機器（不図示）は、光伝送コネクタを搭載した電子機器であって、光伝送コネクタとして、実施の形態１、実施の形態２で説明した光伝送コネクタ１を搭載している。したがって、静電気に対する耐破壊強度が大きく、光伝送コネクタの取り扱いが容易で信頼性の高い電子機器とすることが可能となる。
【００９２】
本実施の形態に係る電子機器としては、例えばＤＶＤプレーヤー、ＤＶＤレコーダ、薄型ＴＶ、ＳＴＢ（セットトップボックス：衛星放送のアダプタ装置）、ＡＶレシーバーなどとすることが可能である。
【図面の簡単な説明】
【００９３】
【図１】本発明の実施の形態１に係る光伝送コネクタの概略構成を説明する説明図であり、（Ａ）は光伝送プラグが挿入されるプラグ収容部を右側に配置した状態での正面図、（Ｂ）は（Ａ）の矢符Ｂ方向での側面図、（Ｃ）は矢符Ｃ方向での底面図である。
【図２】図１（Ａ）を拡大して光伝送コネクタの細部を示す拡大正面図である。
【図３】本発明の実施の形態２に係る光伝送コネクタの概略構成を説明する説明図であり、図１（Ｂ）に対応する位置での側面図である。
【図４】従来例１としての光伝送コネクタを説明する説明図であり、（Ａ）は光伝送プラグが挿入されるプラグ収容部を右側に配置した状態での正面図、（Ｂ）は（Ａ）の矢符Ｂ方向での側面図である。
【図５】従来例２としての光伝送コネクタを説明する説明図であり、（Ａ）は光伝送プラグが挿入されるプラグ収容部を右側に配置した状態での正面図、（Ｂ）は（Ａ）の矢符Ｂ方向での側面図である。
【図６】従来例１、従来例２の光伝送コネクタと連結される光伝送プラグを説明する説明図であり、（Ａ）は平面図、（Ｂ）は正面図、（Ｃ）は（Ａ）の矢符Ｃ方向での側面図である。
【図７】従来例１に係る光伝送コネクタを実装基板に実装した状態を示す側面図である。
【図８】従来例２に係る光伝送コネクタを実装基板に実装した状態を示す説明図であり、（Ａ）は側面図、（Ｂ）は内部構成を透視的に示す透視側面図である。
【図９】光伝送コネクタを機器パネルおよび実装基板に実装した状態での従来技術の問題を概念的に示す側面図である。
【符号の説明】
【００９４】
１  光伝送コネクタ
１０  素子収容部
１１  光電効果素子
１１ｔ  リード端子
２０  プラグ収容部
３０  ホルダー部
３０ａ、３０ｂ  ホルダー部側面
３１  プラグ挿入基部
３１ｓ  プラグ挿入側表面
３１ｈ  貫通穴
３２  シャッター部
３２ｂ  シャッター基部
３３  段差部
３３ｃ  段差角部
３３ｓ  切り欠き部
３４  突起部
３７  樹脂固定脚
４０、４０ａ、４０ｂ  金属固定脚
４１  延長枝部
４１ｔ、４１ｔａ、４１ｔｂ  先端位置
４３、４３ｔ  連結部
４３ｃ  板金角部
４５  枠状板金
１８６  実装基板
１９０  光伝送プラグ
Ｌｃ  交差線
Ｒ  アール加工
Ｗ１、Ｗ２  幅
θ  切り欠き角度
【図１】
0004741571.tif 000002
【図２】
0004741571.tif 000003
【図３】
0004741571.tif 000004
【図４】
0004741571.tif 000005
【図５】
0004741571.tif 000006
【図６】
0004741571.tif 000007
【図７】
0004741571.tif 000008
【図８】
0004741571.tif 000009
【図９】
0004741571.tif 000010